(57)【特許請求の範囲】
【請求項１】
麦稈を自動的に処理できる農用包装装置であって、主体を含み、前記主体の中には作動空間が設置され、前記作動空間の中には麦稈を切断できる切断部品が設置され、前記切断部品は前記作動空間の中にスライド可能に装着されたスライドブロックを含み、前記スライドブロックの中には挟持ブロック空間が設置され、前記挟持ブロック空間の頂壁の中には液圧ポンプが固定的に装着され、前記液圧ポンプのピストン押し棒には支持棒が固定的に装着され、前記支持棒の下側面にはベースが固定的に装着され、前記ベースの下側には引き棒が前後対称にヒンジで繋がれ、前記引き棒の下側面には固定ブロックがヒンジで繋がれ、前記固定ブロックの下側面には麦稈を短く切る挟持ブロックが固定的に装着され、前記液圧ポンプは前記挟持ブロックを押し動かして麦稈を切断することができ、
前記主体の後壁の中には切断後の麦稈を束ねる包装部品が設置され、前記包装部品は前記作動空間の後壁の中に設置された粘着テープ保存空間を含み、前記粘着テープ保存空間の中には粘着テープが保存され、前記粘着テープ保存空間の前側には押切空間が連通するように設置され、前記押切空間の中には押板がスライド可能に装着され、前記粘着テープと前記押切空間とがスライド可能に連結され、前記作動空間の底壁には回転盤が回転可能に装着され、麦稈が前記回転盤に移動した時、前記粘着テープの片側を麦稈に粘着し、前記回転盤は麦稈を回転連動させて粘着テープに麦稈を束ねさせ、前記押板は右にスライドして前記粘着テープを切断することを特徴とする麦稈を自動的に処理できる農用包装装置。
【請求項２】
前記切断部品は前記作動空間の上側と前後対称に連通するように設置されたプーリ空間を含み、後ろ側の前記プーリ空間の後壁の中には第一モータが固定的に装着され、前記第一モータの出力軸には主動軸が固定的に装着され、前記主動軸には主プーリが固定的に装着され、前側の前記プーリ空間の前壁と後ろ側の前記プーリ空間の後壁との間において前記主動軸の右側には従動軸が回転可能に装着され、前記従動軸において後ろ側の前記プーリ空間の中には連動軸が固定的に装着され、前記主プーリと前記連動軸には第一伝動ベルトが伝動可能に装着され、前記従動軸において前側の前記プーリ空間の中には第一従プーリが固定的に装着され、前側の前記プーリ空間の前後壁の間において前記従動軸の左側には定位軸が回転できるように装着され、前記定位軸には第二従プーリが固定的に装着され、前記第二従プーリと前記第一従プーリの間には第二伝動ベルトが伝動可能に装着され、前記スライドブロックと前記第一伝動ベルトとが固定的に装着され、前記スライドブロックと前記第二伝動ベルトとが固定的に連結されていることを特徴とする請求項１に記載の麦稈を自動的に処理できる農用包装装置。
【請求項３】
前記押切空間の左壁の中には第二モータが固定的に装着され、前記第二モータのピストン押し棒には押し棒が固定的に装着され、前記押板の右側面には歯型の刃先が設置され、前記押板と前記押切空間とがスライド可能に連結されていることを特徴とする請求項１に記載の麦稈を自動的に処理できる農用包装装置。
【請求項４】
前記挟持ブロックには鉗子状の刀が設置されていることを特徴とする請求項１に記載の麦稈を自動的に処理できる農用包装装置。
【請求項５】
前記包装部品は前記作動空間の底壁の中に設置された第一伝動空間を含み、前記第一伝動空間の底壁の中には第二モータが固定的に装着され、前記第二モータの出力軸には第一回転軸が固定的に装着され、前記第一回転軸において前記第一伝動空間の中には第一歯車が固定的に装着され、前記第一回転軸の上側面と前記回転盤とが固定的に連結されていることを特徴とする請求項１に記載の麦稈を自動的に処理できる農用包装装置。
【請求項６】
前記粘着テープ保存空間の前後内壁の間には粘着テープ巻き軸が回転できるように装着され、前記粘着テープ巻き軸には粘着テープの位置を制限する位置制限ブロックが上下対称且つ固定的に装着されていることを特徴とする請求項１に記載の麦稈を自動的に処理できる農用包装装置。
【請求項７】
前記第一伝動空間の下側には第二伝動空間が設置され、前記第一伝動空間の頂壁と前記第二伝動空間の底壁との間には第二回転軸が回転可能に装着され、前記第二回転軸において前記第一伝動空間の中には第二歯車が固定的に装着され、前記第二歯車と前記第一歯車とが噛み合っており、前記第二回転軸において前記第二伝動空間の中には第一ウォームギアが固定的に装着され、前記第二伝動空間の前後面の間には第二伝動空間を貫通した連動軸が回転可能に装着され、前記連動軸には第二ウォームギアが固定的に装着され、前記第一ウォームギアと前記第二ウォームギアとが噛み合っており、前記連動軸の前後側面には車輪が対称且つ固定的に装着されていることを特徴とする請求項５に記載の麦稈を自動的に処理できる農用包装装置。
【請求項８】
前記主体の上側面には支持棒が固定的に装着され、前記支持棒にはクッションが固定的に装着されていることを特徴とする請求項１に記載の麦稈を自動的に処理できる農用包装装置。
【請求項９】
前記主体の左側面にはくま手が固定的に装着され、前記くま手は散らかっている麦稈を集めることができることを特徴とする請求項１に記載の麦稈を自動的に処理できる農用包装装置。
【発明の詳細な説明】
【技術分野】
【０００１】
本願発明は農用工具分野に関し、具体的には麦稈を自動的に処理できる農用包装装置に関する。
【背景技術】
【０００２】
現在、稲などの農作物は請負形式で植えており、収穫後の量は驚くほど半端ではない。今までは頼りになった人力はすでに非現実になり、手間を消耗し効率も低下し、浪費率もかなり高く、それに人力で収穫した麦稈は散らかって束ねにくくなる。そもそも、収穫や梱包を一つの工程で完了できないと二倍もの時間がかかり、一人だけでは梱包をできず、梱包後の形も整ってなくて収集保存に不便である。本願発明は上記問題を解決できる。
【先行技術文献】
【特許文献】
【０００３】
【特許文献１】中国特許出願公開第１０９１６８６５２号明細書
【発明の概要】
【発明が解決しようとする課題】
【０００４】
本願は麦稈を自動的に処理できる農用包装装置を提供し、上記の現有技術における欠陥を補う。
【課題を解決するための手段】
【０００５】
麦稈を自動的に処理できる農用包装装置であって、主体を含み、前記主体の中には作動空間が設置され、前記作動空間の中には麦稈を切断できる切断部品が設置され、前記切断部品は前記作動空間の中にスライド可能に装着されたスライドブロックを含み、前記スライドブロックの中には挟持ブロック空間が設置され、前記挟持ブロック空間の頂壁の中には液圧ポンプが固定的に装着され、前記液圧ポンプのピストン押し棒には支持棒が固定的に装着され、前記支持棒の下側面にはベースが固定的に装着され、前記ベースの下側には引き棒が前後対称にヒンジで繋がれ、前記引き棒の下側面には固定ブロックがヒンジで繋がれ、前記固定ブロックの下側面には麦稈を短く切る挟持ブロックが固定的に装着され、前記液圧ポンプは前記挟持ブロックを押し動かして麦稈を切断することができ、
前記主体の後壁の中には切断後の麦稈を束ねる包装部品が設置され、前記包装部品は前記作動空間の後壁の中に設置された粘着テープ保存空間を含み、前記粘着テープ保存空間の中には粘着テープが保存され、前記粘着テープ保存空間の前側には押切空間が連通するように設置され、前記押切空間の中には押板がスライド可能に装着され、前記粘着テープと前記押切空間とがスライド可能に連結され、前記作動空間の底壁には回転盤が回転可能に装着され、麦稈が前記回転盤に移動した時、前記粘着テープの片側を麦稈に粘着し、前記回転盤は麦稈を回転連動させて粘着テープに麦稈を束ねさせ、前記押板は右にスライドして前記粘着テープを切断する。
【０００６】
前記切断部品は前記作動空間の上側と前後対称に連通するように設置されたプーリ空間を含み、後ろ側の前記プーリ空間の後壁の中には第一モータが固定的に装着され、前記第一モータの出力軸には主動軸が固定的に装着され、前記主動軸には主プーリが固定的に装着され、前側の前記プーリ空間の前壁と後ろ側の前記プーリ空間の後壁との間において前記主動軸の右側には従動軸が回転可能に装着され、前記従動軸において後ろ側の前記プーリ空間の中には連動軸が固定的に装着され、前記主プーリと前記連動軸には第一伝動ベルトが伝動可能に装着され、前記従動軸において前側の前記プーリ空間の中には第一従プーリが固定的に装着され、前側の前記プーリ空間の前後壁の間において前記従動軸の左側には定位軸が回転できるように装着され、前記定位軸には第二従プーリが固定的に装着され、前記第二従プーリと前記第一従プーリの間には第二伝動ベルトが伝動可能に装着され、前記スライドブロックと前記第一伝動ベルトとが固定的に装着され、前記スライドブロックと前記第二伝動ベルトとが固定的に連結されている。
【０００７】
前記押切空間の左壁の中には第二モータが固定的に装着され、前記第二モータのピストン押し棒には押し棒が固定的に装着され、前記押板の右側面には歯型の刃先が設置され、前記押板と前記押切空間とがスライド可能に連結されている。
【０００８】
前記挟持ブロックには鉗子状の刀が設置されている。
【０００９】
前記包装部品は前記作動空間の底壁の中に設置された第一伝動空間を含み、前記第一伝動空間の底壁の中には第二モータが固定的に装着され、前記第二モータの出力軸には第一回転軸が固定的に装着され、前記第一回転軸において前記第一伝動空間の中には第一歯車が固定的に装着され、前記第一回転軸の上側面と前記回転盤とが固定的に連結されている。
【００１０】
前記粘着テープ保存空間の前後内壁の間には粘着テープ巻き軸が回転できるように装着され、前記粘着テープ巻き軸には粘着テープの位置を制限する位置制限ブロックが上下対称且つ固定的に装着され、位置制限ブロックは粘着テープの変位を防止できる。
【００１１】
前記第一伝動空間の下側には第二伝動空間が設置され、前記第一伝動空間の頂壁と前記第二伝動空間の底壁との間には第二回転軸が回転可能に装着され、前記第二回転軸において前記第一伝動空間の中には第二歯車が固定的に装着され、前記第二歯車と前記第一歯車とが噛み合っており、前記第二回転軸において前記第二伝動空間の中には第一ウォームギアが固定的に装着され、前記第二伝動空間の前後面の間には第二伝動空間を貫通した連動軸が回転可能に装着され、前記連動軸には第二ウォームギアが固定的に装着され、前記第一ウォームギアと前記第二ウォームギアとが噛み合っており、前記連動軸の前後側面には車輪が対称且つ固定的に装着されている。
【００１２】
前記主体の上側面には支持棒が固定的に装着され、前記支持棒にはクッションが固定的に装着されている。
【００１３】
前記主体の左側面にはくま手が固定的に装着され、前記くま手は散らかっている麦稈を集めることができる。
【発明の効果】
【００１４】
本願発明の有益効果は：本願発明は前後対称となった二対のプーリによってスライドブロックを安定に左右に移動させ、スライドブロックが右に移動する時、液圧ポンプを制御して支持棒を中間へ挟むことで、刀ブロックが麦稈を切り、それでスライドブロックは切られた麦稈を抱えんで左に移動し、麦稈が回転盤に移動した時、回転盤が麦稈を回転連動させて粘着テープによって麦稈を束ね、円盤のモータ連動とネジ山ボルトの伝動によりタイヤが回転して装置全体が前方へ進み、主体の後ろにはとげが固定的に設置されることで、散らかっている麦稈を集めることができる。全体的に言うと、機械構造の伝動を巧妙に運動し、機械エネルギーの転化率を最大化させ、宣伝に値する。
【図面の簡単な説明】
【００１５】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１６】
【図１】図１は本願発明の全体構成図
【図２】図２は図１におけるＡ―Ａの断面図
【図３】図３は図２におけるＢ―Ｂの断面図
【図４】図４は図２におけるＣ―Ｃの断面図
【発明を実施するための形態】
【００１７】
図１〜４の示したように、麦稈を自動的に処理できる農用包装装置であって、主体１２を含み、前記主体１２の中には作動空間１３が設置され、前記作動空間１３の中には麦稈を切断できる切断部品８０が設置され、前記切断部品８０は前記作動空間１３の中にスライド可能に装着されたスライドブロック２４を含み、前記スライドブロック２４の中には挟持ブロック空間５８が設置され、前記挟持ブロック空間５８の頂壁の中には液圧ポンプ２５が固定的に装着され、前記液圧ポンプ２５のピストン押し棒には支持棒２６が固定的に装着され、前記支持棒２６の下側面にはベース２７が固定的に装着され、前記ベース２７の下側には引き棒２８が前後対称にヒンジで繋がれ、前記引き棒２８の下側面には固定ブロック２９がヒンジで繋がれ、前記固定ブロック２９の下側面には麦稈を短く切る挟持ブロック３０が固定的に装着され、前記液圧ポンプ２５は前記挟持ブロック３０を押し動かして麦稈を切断することができ、
前記主体１２の後壁の中には切断後の麦稈を束ねる包装部品８１が設置され、前記包装部品８１は前記作動空間１３の後壁の中に設置された粘着テープ保存空間５４を含み、前記粘着テープ保存空間５４の中には粘着テープ４２が保存され、前記粘着テープ保存空間５４の前側には押切空間１１が連通するように設置され、前記押切空間１１の中には押板１０がスライド可能に装着され、前記粘着テープ４２と前記押切空間１１とがスライド可能に連結され、前記作動空間１３の底壁には回転盤３１が回転可能に装着され、麦稈が前記回転盤３１に移動した時、前記粘着テープ４２の片側を麦稈に粘着し、前記回転盤３１は麦稈を回転連動させて粘着テープ４２に麦稈を束ねさせ、前記押板１０は右にスライドして前記粘着テープ４２を切断する。
【００１８】
前記切断部品８０は前記作動空間１３の上側と前後対称に連通するように設置されたプーリ空間５９を含み、後ろ側の前記プーリ空間５９の後壁の中には第一モータ４８が固定的に装着され、前記第一モータ４８の出力軸には主動軸４４が固定的に装着され、前記主動軸４４には主プーリ４５が固定的に装着され、前側の前記プーリ空間５９の前壁と後ろ側の前記プーリ空間５９の後壁との間において前記主動軸４４の右側には従動軸５２が回転可能に装着され、前記従動軸５２において後ろ側の前記プーリ空間５９の中には連動軸２２が固定的に装着され、前記主プーリ４５と前記連動軸２２には第一伝動ベルト４６が伝動可能に装着され、前記従動軸５２において前側の前記プーリ空間５９の中には第一従プーリ２３が固定的に装着され、前側の前記プーリ空間５９の前後壁の間において前記従動軸５２の左側には定位軸２０が回転できるように装着され、前記定位軸２０には第二従プーリ１９が固定的に装着され、前記第二従プーリ１９と前記第一従プーリ２３の間には第二伝動ベルト２１が伝動可能に装着され、前記スライドブロック２４と前記第一伝動ベルト４６とが固定的に装着され、前記スライドブロック２４と前記第二伝動ベルト２１とが固定的に連結され、麦稈を切る時、第一モータ４８を起動し、第一モータ４８が主動軸４４を回転連動させ、主動軸４４が主プーリ４５を回転連動させ、主プーリ４５が第一伝動ベルト４６を伝動連動させ、第一伝動ベルト４６が連動軸２２を回転連動させ、連動軸２２が従動軸５２を回転連動させ、従動軸５２が第一従プーリ２３を回転連動させ、第一従プーリ２３が第二伝動ベルト２１を伝動連動させてスライドブロック２４を右方に移動させて麦稈を切断する。
【００１９】
前記押切空間１１の左壁の中には第二モータ１４が固定的に装着され、前記第二モータ１４のピストン押し棒には押し棒１５が固定的に装着され、前記押板１０の右側面には歯型の刃先４３が設置され、前記押板１０と前記押切空間１１とがスライド可能に連結され、粘着テープ４２が麦稈を束ねる時、第二モータ１４を起動し、第二モータ１４が押し棒１５を右方にスライド連動させ、押し棒１５が押板１０を右方へ押切空間１１の右壁までスライド連動させて粘着テープ４２を切断する。
【００２０】
前記挟持ブロック３０には鉗子状の刀１６が設置されることで、麦稈を精確に切断できる。
【００２１】
前記包装部品８１は前記作動空間１３の底壁の中に設置された第一伝動空間４１を含み、前記第一伝動空間４１の底壁の中には第二モータ３６が固定的に装着され、前記第二モータ３６の出力軸には第一回転軸３３が固定的に装着され、前記第一回転軸３３において前記第一伝動空間４１の中には第一歯車３４が固定的に装着され、前記第一回転軸３３の上側面と前記回転盤３１とが固定的に連結され、スライドブロック２４が切断された麦稈を回転盤３１の上側面に運んだ時、挟持ブロック３０を放して麦稈を回転盤３１に置き、第二モータ３６を起動し、第二モータ３６が第一回転軸３３を回転連動させ、第一回転軸３３が第一歯車３４を回転連動させ、第一歯車３４が回転盤３１を回転連動させて麦稈を回転させて粘着テープ４２を巻く。
【００２２】
前記粘着テープ保存空間５４の前後内壁の間には粘着テープ巻き軸５０が回転できるように装着され、前記粘着テープ巻き軸５０には粘着テープ４２の位置を制限する位置制限ブロック５５が上下対称且つ固定的に装着され、位置制限ブロック５５は粘着テープ４２の変位を防止できる。
【００２３】
前記第一伝動空間４１の下側には第二伝動空間３８が設置され、前記第一伝動空間４１の頂壁と前記第二伝動空間３８の底壁との間には第二回転軸３５が回転可能に装着され、前記第二回転軸３５において前記第一伝動空間４１の中には第二歯車３２が固定的に装着され、前記第二歯車３２と前記第一歯車３４とが噛み合っており、前記第二回転軸３５において前記第二伝動空間３８の中には第一ウォームギア３７が固定的に装着され、前記第二伝動空間３８の前後面の間には第二伝動空間３８を貫通した連動軸３９が回転可能に装着され、前記連動軸３９には第二ウォームギア４０が固定的に装着され、前記第一ウォームギア３７と前記第二ウォームギア４０とが噛み合っており、前記連動軸３９の前後側面には車輪５６が対称且つ固定的に装着され、主体１２が移動する時、第二モータ３６を起動し、第二モータ３６が第一回転軸３３の回転を連動させ、第一回転軸３３が第一歯車３４を回転連動させ、第一歯車３４が第二歯車３２の回転を連動させ、第二歯車３２が第二回転軸３５の回転を連動させ、第二回転軸３５が第一ウォームギア３７の回転を連動させ、第一ウォームギア３７が第二ウォームギア４０の回転を連動させ、第二ウォームギア４０が連動軸３９を回転連動させ、連動軸３９が車輪５６の回転を連動させて主体１２を前方又は後方に移動させる。
【００２４】
前記主体１２の上側面には支持棒１８が固定的に装着され、前記支持棒１８にはクッション１７が固定的に装着され、使用者の着席に便利を与える。
【００２５】
前記主体１２の左側面にはくま手５７が固定的に装着され、前記くま手５７は散らかっている麦稈を集めることができる。
【００２６】
麦稈を切る時、第一モータ４８を起動し、第一モータ４８が主動軸４４を回転連動させ、主動軸４４が主プーリ４５を回転連動させ、主プーリ４５が第一伝動ベルト４６を伝動連動させ、第一伝動ベルト４６が連動軸２２を回転連動させ、連動軸２２が従動軸５２を回転連動させ、従動軸５２が第一従プーリ２３を回転連動させ、第一従プーリ２３が第二伝動ベルト２１を伝動連動させてスライドブロック２４を右方に移動させて麦稈を切断する。
スライドブロック２４が切断された麦稈を回転盤３１の上側面に運んだ時、挟持ブロック３０を放して麦稈を回転盤３１に置き、第二モータ３６を起動し、第二モータ３６が第一回転軸３３を回転連動させ、第一回転軸３３が第一歯車３４を回転連動させ、第一歯車３４が回転盤３１を回転連動させて麦稈を回転させて粘着テープ４２を巻き、粘着テープ４２が麦稈を束ねる時、第二モータ１４を起動し、第二モータ１４が押し棒１５を右方にスライド連動させ、押し棒１５が押板１０を右方へ押切空間１１の右壁までスライド連動させて粘着テープ４２を切断する
主体１２が移動する時、第二モータ３６を起動し、第二モータ３６が第一回転軸３３の回転を連動させ、第一回転軸３３が第一歯車３４を回転連動させ、第一歯車３４が第二歯車３２の回転を連動させ、第二歯車３２が第二回転軸３５の回転を連動させ、第二回転軸３５が第一ウォームギア３７の回転を連動させ、第一ウォームギア３７が第二ウォームギア４０の回転を連動させ、第二ウォームギア４０が連動軸３９を回転連動させ、連動軸３９が車輪５６の回転を連動させて主体１２を前方又は後方に移動させる。
【００２７】
上記実施例は本願発明の技術発想と特徴を説明するためだけで、本分野当業者たちに本願発明を理解し実施していただくことを目的とし、本願発明の請求範囲を制限するものではない。本願発明に基づいて実質に変わりがない変化は本願発明の請求範囲にカバーされる。
【要約】
【課題】本発明は麦稈を自動的に処理できる農用包装装置を開示した。
【解決手段】主体を含み、前記主体の中には作動空間が設置され、前記作動空間の中には麦稈を切断できる切断部品が設置され、前記切断部品は前記作動空間の中にスライド可能に装着されたスライドブロックを含み、前記スライドブロックの中には挟持ブロック空間が設置され、前記挟持ブロック空間の頂壁の中には液圧ポンプが固定的に装着され、前記液圧ポンプのピストン押し棒には支持棒が固定的に装着され、前記支持棒の下側面にはベースが固定的に装着され、前記ベースの下側には引き棒が前後対称にヒンジで繋がれ、前記引き棒の下側面には固定ブロックがヒンジで繋がれ、前記固定ブロックの下側面には麦稈を短く切る挟持ブロックが固定的に装着され、前記液圧ポンプは前記挟持ブロックを押し動かして麦稈を切断することができる。
【選択図】図１【図１】
0006735974.tif 000002
【図２】
0006735974.tif 000003
【図３】
0006735974.tif 000004
【図４】
0006735974.tif 000005